(57)【要約】【課題】基板等の接続対象物の上下方向における変位に対して柔軟に接圧を変えつつ適切な接触を図ることのできるコンタクトと、それを備えたコネクタとを提供すること。【解決手段】コンタクト１００は、前面１１２及び側面１１４、１１５を有するコの字状の主部１１０と、基板３０の上面を下方に向けて押圧するように構成された上側バネ部１２０と、基板３０の下面を上方に向けて押圧するように構成された下側バネ部１３０と、基板３０の上下方向（Ｚ方向）における位置決めを行う位置決め部１４０を備えている。ここで、上側バネ部１２０は前面１１２と連続形成され、下側バネ部１３０は側面１１４、１１５と連続形成されている。このように、第１バネ部１２０と、第２バネ部１３０を互いに独立して変位・変形可能なものとした。【選択図】図４
2010251212.tif 000002
【特許請求の範囲】
【請求項１】
一枚の金属板を加工して得られるコンタクトであって、
平板形状の接続対象物の上面を下方に向けて押圧するように構成された上側バネ部と、
該上側バネ部とは独立して変位・変形可能な下側バネ部であって、前記接続対象物の下面を上方に向けて押圧するように構成された下側バネ部と
を備えるコンタクト。
【請求項２】
請求項１記載のコンタクトであって、
前面又は後面と２つの側面とを水平面内において略コの字状となるように配置してなる主部を更に備えており、
前記上側バネ部と前記下側バネ部のうちの一方は、前記前面又は後面と連続するように構成された第１バネ部であり、
前記上側バネ部と前記下側バネ部のうちの他方は、前記２つの側面と連続するように構成された第２バネ部である
コンタクト。
【請求項３】
請求項２記載のコンタクトであって、
前記第１バネ部は、前記前面と連続するように構成されている
コンタクト。
【請求項４】
請求項２又は請求項３記載のコンタクトであって、
前記第２バネ部は、左右方向における端部が前記左右方向の中心において対向するように前記側面の一部を折り曲げ形成してなるものである
コンタクト。
【請求項５】
請求項４記載のコンタクトであって、
前記接続対象物の前記上下方向における位置決めを行う位置決め部を更に備えており、
該位置決め部は、前記２つの側面と連続するように且つ前記第２バネ部と並ぶようにして設けられている
コンタクト。
【請求項６】
請求項５記載のコンタクトであって、
前記第２バネ部は、前記上下方向に沿って見た場合に鏡像配置された略Ｌ字状の２つの部位から構成されており、
前記位置決め部は、前記第２バネ部よりも小さい略Ｌ字状の２つの部位から構成されている
コンタクト。
【請求項７】
請求項５又は請求項６記載のコンタクトであって、
前記位置決め部と前記側面との境界部分は、前記第２バネ部と前記側面との境界部分よりも前方に位置している
コンタクト。
【請求項８】
請求項１乃至請求項７のいずれかに記載のコンタクトと、該コンタクトを保持する絶縁体からなるハウジングとを備えたコネクタ。
【発明の詳細な説明】
【技術分野】
【０００１】
本発明は、一枚の金属板を加工して得られるコンタクトとそれを備えるコネクタに関する。
【背景技術】
【０００２】
この種のコンタクトを有するコネクタとしては、例えば特許文献１に開示されるものがある。特許文献１のコンタクトは、基板の一部を受け入れるボックス状部と、ボックス状部内に設けられたバネ部と、基板の位置決めを行うようにボックス状部内に設けられた位置決め部とを備えている。しかしながら、特許文献１のコンタクトでは、基板の上下方向における一方からのみ基板を押圧する構成であるため、接触信頼性が低いといった問題がある。
【０００３】
これに対して、特許文献２に開示されたコンタクトは、基板を上下から挟み込む上側バネ部及び下側バネ部を備えている。
【先行技術文献】
【特許文献】
【０００４】
【特許文献１】特開２００８−１９２６２７号公報
【特許文献２】特開２００７−３０５５５９号公報
【発明の概要】
【発明が解決しようとする課題】
【０００５】
特許文献２のコンタクトの場合、２つのバネ部で基板を上下から挟み込む構成としているが、上側バネ部は下側バネ部から延びる部位で構成されているため、下側バネ部の変位・変形に応じて上側バネ部も変位・変形してしまう。即ち、特許文献２のコンタクトでは、基板の上下方向における変位に対して柔軟に接圧を変えつつ適切な接触を図ることはできないという問題がある。
【０００６】
そこで、本発明は、基板等の接続対象物の上下方向における変位に対して柔軟に接圧を変えつつ適切な接触を図ることのできるコンタクトと、それを備えたコネクタとを提供することを目的とする。
【課題を解決するための手段】
【０００７】
即ち、本発明によれば、第１のコンタクトとして、一枚の金属板を加工して得られるコンタクトであって、平板形状の接続対象物の上面を下方に向けて押圧するように構成された上側バネ部と、該上側バネ部とは独立して変位・変形可能な下側バネ部であって、前記接続対象物の下面を上方に向けて押圧するように構成された下側バネ部とを備えるコンタクトが得られる。
【０００８】
また、本発明によれば、第２のコンタクトとして、第１のコンタクトにおいて、前面又は後面と２つの側面とを水平面内において略コの字状となるように配置してなる主部を更に備えており、前記上側バネ部と前記下側バネ部のうちの一方は、前記前面又は後面と連続するように構成された第１バネ部であり、前記上側バネ部と前記下側バネ部のうちの他方は、前記２つの側面と連続するように構成された第２バネ部であるコンタクトが得られる。
【０００９】
また、本発明によれば、第３のコンタクトとして、第２のコンタクトにおいて、前記第１バネ部は、前記前面と連続するように構成されているコンタクトが得られる。
【００１０】
また、本発明によれば、第４のコンタクトとして、第２または第３のコンタクトにおいて、前記第２バネ部は、左右方向における端部が前記左右方向の中心において対向するように前記側面の一部を折り曲げ形成してなるものであるコンタクトが得られる。
【００１１】
また、本発明によれば、第５のコンタクトとして、第４のコンタクトにおいて、前記接続対象物の前記上下方向における位置決めを行う位置決め部を更に備えており、該位置決め部は、前記２つの側面と連続するように且つ前記第２バネ部と並ぶようにして設けられているコンタクトが得られる。
【００１２】
また、本発明によれば、第６のコンタクトとして、第５のコンタクトにおいて、前記第２バネ部は、前記上下方向に沿って見た場合に鏡像配置された略Ｌ字状の２つの部位から構成されており、前記位置決め部は、前記第２バネ部よりも小さい略Ｌ字状の２つの部位から構成されているコンタクトが得られる。
【００１３】
また、本発明によれば、第７のコンタクトとして、第５又は第６のコンタクトにおいて、前記位置決め部と前記側面との境界部分は、前記第２バネ部と前記側面との境界部分よりも前方に位置しているコンタクトが得られる。
【００１４】
また、本発明によれば、第１乃至第７のいずれかのコンタクトと、該コンタクトを保持する絶縁体からなるハウジングとを備えたコネクタが得られる。
【発明の効果】
【００１５】
本発明によるコンタクトは、互いに独立して変位・変形可能な上側バネ部と下側バネ部とを備えており、それらによって基板等の接続対象物を上下から挟持することとしている。従って、接続対象物の上下方向における変位に応じて上側バネ部及び下側バネ部のそれぞれと接続対象物との接圧を別個に変化させることができることから、接続対象物と適切な接触を図ることができる。
【図面の簡単な説明】
【００１６】
【図１】本発明の実施の形態によるコネクタの斜視図である。開示されたコネクタは、基板と接続する前の状態であり、冷陰極管も接続されていない。なお、冷陰極管及び基板は一部のみ示している。
【図２】図１に示されるコネクタを基板及び冷陰極管と接続した状態を示す斜視図である。
【図３】図１に示されるコネクタを構成するコンタクト及びハウジングを示す分解斜視図である。
【図４】図３に示されるコンタクトの斜視図である。
【図５】図３に示されるコンタクトの他の方向から見た斜視図である。
【図６】図４に示されるコンタクトの下部を示す部分拡大斜視図であり、一部の線を省略した図である。
【図７】図６に示されるコンタクトのＶＩＩ−ＶＩＩ断面図である。
【図８】本実施の形態によるコンタクトの上側バネ部及び下側バネ部の変形例を示す部分断面図である。
【図９】本実施の形態によるコンタクトの上側バネ部及び下側バネ部の他の変形例を示す部分断面図である。
【図１０】図３に示されるハウジングの斜視図である。
【図１１】図１０に示されるハウジングのＸＩ−ＸＩ断面図である。
【発明を実施するための形態】
【００１７】
図１及び図２に示されるように、本発明の実施の形態によるコネクタ１０は、冷陰極管２０と基板３０とに電気的に接続されるものである。図３に示されるように、本実施の形態によるコネクタ１０は、コンタクト１００と、当該コンタクト１００を保持するハウジング２００とを備えている。コンタクト１００は、一枚の金属板をプレス加工等して得られるものである。
【００１８】
図４及び図５に示されるように、本実施の形態によるコンタクト１００は、主部１１０と、第１バネ部１２０と、第２バネ部１３０と、位置決め部１４０と、アーム部１５０と、冷陰極管位置決め部１６０と、挟持部１７０とを備えている。
【００１９】
主部１１０は、ＸＺ平面と平行な前面１１２と、ＹＺ平面と平行な右側面１１４及び左側面１１５とを有している。このため、Ｚ方向から見た場合、主部１１０は略コの字状をしている。右側面１１４及び左側面１１５の夫々には、Ｚ方向斜め上方且つ外側に延びているランス部１１８が形成されている。
【００２０】
図２、図４乃至図７に示されるように、第１バネ部１２０は、前面１１２から連続して延びており、コンタクト１００に装着された基板３０の上面を下方に向けて押圧するように構成されている。また、図６及び図７によく示されているように、第１バネ部１２０は、前面１１２に接続され且つＸ方向から見た場合に略コの字形状有する折曲げ部１２２と、折曲げ部１２２から斜め後方に延びる接触部位１２４を備えている。接触部位１２４は、略くの字形状を有しており、その先端は、斜め上方に向けられている。本実施の形態において、接触部位１２４には、Ｚ方向下方に突出したリブ１２６がＹ方向に沿って設けられている。
【００２１】
図４乃至図６に示されるように、第２バネ部１３０の夫々は、基板３０の下面をＺ方向上方に向けて押圧するように構成されている。本実施の形態による第２バネ部１３０は、右側面１１４及び左側面１１５にＬ字切込１１６を入れ内側へ折曲げて形成されるものである。即ち、第２バネ部１３０の夫々は、右側面１１４又は左側面１１５と連続して形成されている。これにより、前面１１２と連続して形成されている第１バネ部１２０と、第２バネ部１３０は、互いに独立して変位・変形が可能となる。本実施の形態において、第２バネ部１３０の夫々は、Ｘ方向に延びる第１部位１３１と、Ｙ方向に延びる第２部位１３２とで構成されており、略Ｌ字形状を有している。第２バネ部１３０の夫々は、第２部位１３２が互いに平行になるように対向しており、Ｚ方向から見た場合に鏡像配置されている。第２部位１３２には、Ｚ方向において突出したリブ１３４がＹ方向に沿って設けられている。
【００２２】
図２及び図４乃至図６に示されるように、位置決め部１４０は、基板３０のＺ方向における位置決めを行うものである。位置決め部１４０は、上述した第２バネ部１３０と同様、右側面１１４及び左側面１１５にＬ字切込１１６を入れ内側へ折曲げて形成されるものであり、位置決め部１４０の夫々は、右側面１１４及び左側面１１５と連続して形成されている。本実施の形態による位置決め部１４０は、第２バネ部と並ぶようにして設けられている。また、位置決め部１４０の夫々は、Ｘ方向に延びる第１部位１４１と、Ｙ方向に延びる第２部位１４２とで構成されており、第２バネ部よりも小さい略Ｌ字形状を有している。位置決め部１４０の第１部位１４１と第２部位１４２の夫々の長さが、対応する第２バネ部１３０の第１部位１３１と第２部位１３２の夫々の長さより短いため、位置決め部１４０は、第２バネ部１３０よりも硬い。これにより、位置決め部１４０が位置決めとしての機能を果たすことができる。本実施の形態において、位置決め部１４０夫々と各側面（右側面１１４、左側面１１５）との接続部は、第２バネ部１３０夫々と各側面との接続部よりもＹ方向において前方に位置している。即ち、位置決め部１４０と各側面との境界部分は、第２バネ部１３０と各側面との境界部分よりも前方に位置している。位置決め部１４０にもＺ方向において突出したリブ１４４がＹ方向に沿って設けられている。
【００２３】
図４に示されるように、アーム部１５０は、主部１１０の前面１１２からＺ方向上方へ二股に分かれるように延びている。本実施の形態において、アーム部１５０は、コンタクト１００のブランク（中間体）とキャリアとを接続していた部位であり、コンタクト１００の製造時において、キャリアから切り離された部位である。
【００２４】
図１、図２及び図４に示されるように、冷陰極管位置決め部１６０は主部１１０の前面１１２から挟持部１７０へ向かって延びており、略Ｙ字形状をしている。本実施の形態による冷陰極管位置決め部１６０は、冷陰極管２０の下死点を決めるものであり、且つ後述するハウジング２００の位置ずれ防止部２３０（図１０参照）と共に冷陰極管２０の熱膨張による位置ずれを防止するものである。
【００２５】
図１、図２、図４及び図５に示されるように、挟持部１７０は、冷陰極管２０の端子２２を挟持するものである。挟持部１７０は、Ｚ方向上方に互いに離れるようにして延びている先端部１７２と、挿入された端子２２がＺ方向上方へ抜けることを防止する抜け防止部１７３と、Ｘ方向において外側へ突出した凸部１７４を備えている。先端部１７２は、端子２２が挿入される際に、端子２２をガイドする。抜け防止部１７３は、挟持部１７０の一部にコの字状の切り込みを入れＸ方向において内側へ折り曲げられており、その先端はＺ方向下方に向いている。また、抜け防止部１７３同士は、互いにＸ方向において接触している。端子２２は凸部１７４が形成された位置まで挿入されるため、かかる構造により、挿入された端子２２がＺ方向上方へ移動したとしても、当該抜け防止部１７３の先端に当たるため抜けることがない。また、凸部１７４は、冷陰極管２０の端子２２と挟持部１７０との接触面積を小さくするために設けられている。これにより、端子２２の移動による削れが低減される。
【００２６】
図１、２及び図４乃至図７に示されるように、上述した第１バネ部１２０のリブ１２６、第２バネ部１３０のリブ１３４及び位置決め部１４０のリブ１４４により、コンタクト１００と基板３０との局所的な接圧を高めることができる。従って、本実施の形態によるコネクタ１０は、基板３０に対する高い接触信頼性を得ることができる。更に、第２バネ部１３０の第２部位１３２の先端１３６と、位置決め部１４０の第２部位１４２の先端１４６は、Ｚ方向において斜め下方に曲げられている。これにより、図１及び図６から理解されるように、基板３０は、接触部位１２４と、先端１３６と、先端１４６とにガイドされるようにして第１バネ部１２０と第２バネ部１３０の間に挿入される。従って、コンタクト１００の座屈や変形が防止される。
【００２７】
図１乃至図４、図１０及び図１１に示されるように、ハウジング２００は、コンタクト１００を保持するものである。ハウジング２００は、凸状の押当て部２１０と、Ｚ方向に延びる固定溝２２０と、凸状の位置ずれ防止部２３０と、冷陰極管２０が挿入される挿入部２４０と、Ｚ方向に延びる凹状のガイド溝２５０とを備えている。押当て部２１０は、コンタクト１００をハウジング２００に圧入する際、右側面１１４及び左側面１１５に当たることとなる。これにより、コンタクト１００はハウジング２００に保持されることになる。固定溝２２０は、圧入されたコンタクト１００が抜けることを防止するためのものである。即ち、コンタクト１００は、各ランス部１１８が固定溝２２０内に位置するまでハウジング２００に圧入される。この状態で、コンタクト１００が上方へ移動しようとしても、先端１１８が固定溝２２０の上縁に当たるため、コンタクト１００がハウジング２００から抜けることがない。コンタクト１００がハウジング２００に保持された状態で、位置ずれ防止部２３０には、冷陰極管位置決め部１６０がＹ方向前方から当接することとなる。そのため、冷陰極管２０の熱膨張により、冷陰極管位置決め部１６０がＹ方向へ押された場合であっても、Ｙ方向への変位を防止することができる。ガイド部２５０は、コンタクト１００をハウジング２００へ圧入する際に、接続部１５０をガイドする。これにより、コンタクト１００をハウジング２００内の適切な位置に圧入することができる。
【００２８】
以上説明したように、本実施の形態によるコンタクト１００は、バネ性の高い第１バネ部１２０とバネ性の低い第２バネ部１３０とを備えている。また、位置決め部１４０をバネ性の低い第２バネ部１３０側に設けているため、基板３０は、第１バネ部１２０によって位置決め部１４０に押し当てられることとなる。このように、本実施の形態によるコンタクト１００は、互いにバネ性が異なり夫々が独立して変位・変形可能なバネ部を備えていることから、それらによって基板３０が上下から確実に挟持されることとなる。従って、基板３０がＺ方向において変位したとしても、当該変位に応じて第１バネ部１２０及び第２バネ部１３０の夫々と基板３０との接圧を別個に変化させるようにバネ性を設定することができるため、基板３０と適切な接触を図ることができる。更に、図４に示されるように、第１バネ部１２０を主部１１０の部位のうち基板３０の挿入方向（Ｙ方向）と直交又は略直交する部位（前面１１２）と連続して形成する一方で、第２バネ部１３０を主部１１０の側面（左右側面１１５、１１４）と連続して形成することとしている。従って、コンタクト１００を製造する際に小さいサイズの一枚板を効率的に使用することができ、コンタクト１００の低コスト化を図ることができる。
【００２９】
なお、本実施の形態によるコンタクト１００は、図４に示されるように、第１バネ部１２０をＺ方向上側のバネとし、第２バネ部１３０をＺ方向下側のバネとしているが、本発明の実施の形態はこれに限られない。例えば、図８に示されるように、第１バネ部１２０ａを下側のバネとし、第２バネ部１３０ａを上側のバネとしてもよい。この場合、第１バネ部１２０ａの折曲げ部１２２ａは、第２バネ部１３０ａの後方を回るように形成される。これにより、第１バネ部１２０ａと第２バネ部１３０ａによって、基板３０を上下方向から挟持することができる。また、図４及び図９に示されるように、第１バネ部１２０ｂを主部１１０の前面１１２の下方から延長して上側のバネとしてもよい。その他、図４に示される主部１１０の形状とはＸ方向に関して対称とし、後面及び左右側面とでコの字形状としてもよい。この場合も、第１バネ部を上側バネとする場合は後面上方から延長すればよく、第１バネ部を下側バネとする場合は後面下方から延長することとすればよい。但し、このような構造は、後面から延設して冷陰極管位置決め部１６０等を形成するようになるので、コンタクトを形成するために必要な一枚板のサイズが大きくなってしまう問題や、構造が複雑になってしまうという問題もある。従って、図４に示されるようなコンタクト１００の形状がより望ましい。
【符号の説明】
【００３０】
１０  コネクタ
２０  冷陰極管
２２  端子
３０  基板
１００  コンタクト
１１０  主部
１１２  前面
１１４  右側面
１１５  左側面
１１６  Ｌ字切込
１１８  ランス部
１２０  第１バネ部
１２２  折曲げ部
１２４  接触部位
１２６  リブ
１２７  先端
１３０  第２バネ部
１３１  第１部位
１３２  第２部位
１３４  リブ
１３６  先端
１４０  位置決め部
１４１  第１部位
１４２  第２部位
１４４  リブ
１４６  先端
１５０  アーム部
１６０  冷陰極管位置決め部
１７０  挟持部
１７２  先端部
１７３  抜け防止部
１７４  凸部
２００  ハウジング
２１０  押当部
２２０  固定溝
２３０  位置ずれ防止部
２４０  挿入部
２５０  ガイド部
【図１】
2010251212.tif 000003
【図２】
2010251212.tif 000004
【図３】
2010251212.tif 000005
【図４】
2010251212.tif 000006
【図５】
2010251212.tif 000007
【図６】
2010251212.tif 000008
【図７】
2010251212.tif 000009
【図８】
2010251212.tif 000010
【図９】
2010251212.tif 000011
【図１０】
2010251212.tif 000012
【図１１】
2010251212.tif 000013